(57)【要約】【課題】多種類の箸を纏めて系統的に保管可能にすると共に、任意の箸を取り出し可能にする箸保管ファイルを提供すること。【解決手段】外装カバー１を構成する表表紙１ａと裏表紙１ｂとの間に複数枚の台紙５を着脱可能に綴じ込むと共に、これら台紙５に箸袋６を着脱自在に取り付けてある。また、台紙５及び／又は箸袋６にメモ欄８が印刷されるか、又はメモ欄８の印刷されたシールが貼り付けられるようになっている。【選択図】    図１
2007209613.tif 000002
【特許請求の範囲】
【請求項１】
外装カバーを構成する表表紙と裏表紙との間に複数枚の台紙を着脱可能に綴じ込むと共に、これら台紙に箸袋を着脱自在に取り付け、かつ前記台紙及び／又は箸袋にメモ欄を印刷するか、又はメモ欄が印刷されたシールを貼り付けるようにした箸保管ファイル。
【請求項２】
前記箸袋を透明な樹脂フィルムにより封筒状に形成すると共に、その開口部に折り返し蓋を付設し、該箸袋の背面を両面接着テープを介して前記台紙に着脱自在にした請求項１に記載の箸保管ファイル。
【請求項３】
透明な樹脂フィルムにより封筒状に形成すると共に、その開口部に折り返し蓋を付設し、該箸袋の背面の幅方向中央部に両面接着テープを貼着した請求項１又は２に記載の箸保管ファイル用の箸袋。
【発明の詳細な説明】
【技術分野】
【０００１】
本発明は箸保管ファイルに関し、さらに詳しくは、多数の箸を纏めて保管可能にすると共に、任意の箸を取り出し可能にする箸保管ファイルに関する。
【背景技術】
【０００２】
箸は和食において食物を捕捉して口に運ぶ手段として使用される。一般の家庭においては、箸は各人毎に所有が定められ、そのため各人毎に使用する箸の大きさ、素材などのデザインが互いに異なったものが使用されるのが普通である。洋食のナイフやフォークでは使用する人が特定されないため、上記箸の使い方は和食に特有の慣習といえる。
【０００３】
また、このように使用される箸は消耗品であるため、使用の過程で古くなると新しいものに買い換えられていく。また、入学、卒業、誕生日など特別な行事や祝い事などの際に新しいものを買い足したり、或いは贈与を受けたりすることがある。このような箸の特徴から、箸に愛着をもち、また種々の嗜好を求めたりする傾向が一部の人々にある。そのため、自分が使用した箸について、その使用歴を記念に残しておきたいとか、或いは特別な行事や祝い事などの際に買い求めたり、贈与を受けたものなどを系統的に保存しておきたいどの要望がある。
【０００４】
しかし、従来は、使用中の保管する箸箱については種々の提案があるものの（例えば、特許文献１、２等）、多くの箸を系統的に保存や保管する手段が存在していなかった。そのため、多くの場合は買い換え時に古い箸が捨てられてしまうことが多く、また、残す場合であっても、保管場所が買い換えの都度異なるなどすることにより、やがて散逸してしまうなどしていた。
【特許文献１】特開平１１−３１８７６４号公報
【特許文献２】特開平２００４−１１３４９４号公報
【発明の開示】
【発明が解決しようとする課題】
【０００５】
本発明の目的は、上述した従来の問題を解消し、多種類の箸を纏めて保管可能にすると共に、それらの中から任意の箸を取り出すことを可能にする箸保管ファイルを提供することにある。
【課題を解決するための手段】
【０００６】
上記目的を達成する本発明の箸保管ファイルは、外装カバーを構成する表表紙と裏表紙との間に複数枚の台紙を着脱可能に綴じ込むと共に、これら台紙に箸袋を着脱自在に取り付け、かつ前記台紙又は箸袋にメモ欄を印刷するか、又はメモ欄を印刷したラベルを貼り付けるようにしたことを特徴とするものである。
【発明の効果】
【０００７】
本発明の箸保管ファイルは、外装カバーの表表紙と裏表紙との間に複数枚の台紙を綴じ込むと共に、それらの台紙に箸袋を着脱自在に取り付けるようにし、かつメモ欄を設けるようにしたので、多種類の箸をメモ欄の記録と共に系統的に纏めて保管若しくは保存することができる。また、各箸袋が着脱可能であるので、保管中の多種類の箸の中から任意の箸を自由に選択して取り出すことができる。
【発明を実施するための最良の形態】
【０００８】
図１は、本発明の実施形態からなる箸保管ファイルを、分解した状態にして示した斜視図である。
【０００９】
図に示す箸保管ファイルは、外装カバー１が表表紙１ａと裏表紙１ｂから構成され、その表表紙１ａと裏表紙１ｂの間に複数枚の台紙５が着脱自在に綴じ込まれている。外装カバー１の内側には、裏表紙１ｂの一方の縁部にパイプ状の一対の雌型止金２、２が固定され、この雌型止金２、２に押え金４が雄型止金３，３を介して着脱自在に係止されるようになっている。また、台紙５には片方の縁部に一対の綴じ穴５ａ、５ａが設けられ、この綴じ穴５ａ、５ａを介して雌型止金２、２に順次差し込まれ、複数枚が積層された台紙５の上方に突出した雌型止金２、２に押え金４を係止させることにより綴じ込まれる。このように綴じ込まれた台紙５は、押え金４の脱着により一部又は全部を取り外したり、再度挿入したりすることができる。
【００１０】
また、台紙５にはメモ欄８が複数箇所に印刷されており、そのメモ欄８に対応して、図２及び図３（Ａ）〜（Ｃ）に例示するような箸袋６が脱着自在に取り付けられるようになっている。箸袋６には箸７が挿入され保管されるようになっている。ここで、メモ欄８は図示のように台紙５にではなく、箸袋６に印刷してもよく、或いは台紙５と箸袋６の両方に印刷してもよい。また、上記のように台紙５や箸袋６に直接印刷しないで、メモ欄が印刷されたシールを貼り付けるようにしてもよい。また、購入時の箸には、包装袋などに箸の説明書や栞などが入っていることがあるが、箸袋６には、このような説明書、栞などを一緒に挿入することもできる。
【００１１】
本発明の箸保管ファイルは、上記のような構成されているため、例えば、幼少時からの箸の使用過程で新しいものに買い換えるとき、古くなったものを順次保存する手段として、入学、卒業、誕生日などの特別な行事や祝い事などの際に新しく買い足したり、或いは贈与されたりしたときの保存用の手段として、木製や竹製の箸について、その木質は竹質ごとにシリーズとして収集するときの手段として、或いはそれを贈答用に利用する場合の手段としてなど、系統的な纏めを行えるように多様な使い方をすることができる。また、メモ欄８は、これら保存や収集の際に記録や説明用として使用することができる。
【００１２】
本発明において、箸袋６は、透明な樹脂フィルムにより構成するのがよい。図２及び図３（Ａ）〜（Ｃ）は、その一例を示すもので、透明な樹脂フィルムを２枚重ねにして封筒状に周囲の３辺を封止し、１辺を開口部として開口するように形成されている。その開口部には折り返し蓋６ａを付設するように形成されている。この封筒状の箸袋６において、折り返し蓋６ａの表面側の端部には両面接着テープ９が貼り付けられている。また、箸袋６の背面側には、幅方向中央部に、上記開口部に相当する位置から下方に向けて別の両面接着テ−プ１０貼り付けられ、さらにその下端部に別の両面接着テ−プ１１が幅方向全体に貼り付けられている。
【００１３】
上記のように箸袋６が透明な樹脂フィルムで構成されていることにより、その中に収納した箸７を容易に視認することができる。樹脂フィルムの色としては、無色透明が好ましいが、着色された半透明なものであってもよい。
【００１４】
折り返し蓋６ａは、箸保管ファイルを持ち運びするとき、箸袋６に収納した箸７が脱落しないようにするために有効である。折り返し蓋６ａの係止は、端部の両面接着テープ９から離型紙９ａを剥離し、図２に示す矢印方向に折り返して箸袋６の本体に接着させることにより行うことができ、また剥離により係止を解くことができる。
【００１５】
箸袋６の裏面側の両面接着テープ１０と１１は、離型紙１０ａ及び１１ａを剥離することにより、箸袋６を台紙５に着脱可能に貼着する。２種類の両面接着テープ１０、１１のうち、両面接着テープ１０の方は、箸袋６の背面の幅方向中央部に限定して貼り付けられているので、箸袋６に箸７を収納するとき両側端部を台紙５から浮き上がらせて、開口部を円筒状に広げやすくするため、箸７の出し入れを容易にする。
【００１６】
本発明に使用する箸袋としては、図３に例示したものに限定されるものではなく、図４（Ａ），（Ｂ）に例示するようにしたものであってもよい。図５は、図４の箸袋６に箸７を挿入したときの状態を示す。
【００１７】
図４の箸袋６が、図３の箸袋と相違する構成は次の通りである。
第１の相違部分は、箸７を出し入れする開口部の両端に円弧状の切欠き１２，１２を設け、開口部両端に集中する応力を緩和するようにしたことである。箸７を出し入れするときは、箸袋６の開口部が広げられるので開口部両端に応力が集中し、その両端部に亀裂を発生しやすくなる。しかし、切欠き１２を設けていることにより、上記応力集中は緩和され、開口部両端における亀裂発生を抑制し、箸袋の耐久性を向上する。
【００１８】
第２の相違部分は、折り返し蓋６ａの端部６ｂを二つ折りにし、両面接着テープ９の接着剤の一部を利用して貼り合わせていることである。この端部６ｂの二つ折り重ねにより、厚さ方向断面が円弧状に丸められてエッジｅを形成している。そのため、図５のように箸袋６に箸７を収納した状態から折り返し蓋６ａを開けるとき、その丸みをもったエッジｅに指を掛けることにより、折り返し蓋６ａを容易に開けることができる。
【００１９】
１枚当たりの台紙５に対する箸袋６の取り付け数としては、台紙５の大きさにもよるが、Ａ４版の大きさであれば、片面当たり２〜３個にすることができる。また、箸袋６の取り付けは台紙５の片面だけにしてもよいが、表裏両面に取り付けるようにしてもよい。
【００２０】
台紙５の表裏両面に箸袋６を取り付ける場合には、表側に対する取付け位置と裏側に対する取り付け位置とを互いにオフセットさせることが好ましい。図６（Ａ），（Ｂ）は、その一例を示したもので、台紙５の表側には箸袋６の取り付け位置１３が３列設けられ（図６（Ａ）参照）、これに対して裏側には箸袋６の取り付け位置１３が２列設けられている（図６（Ｂ）参照）。このようにオフセットした関係にすることにより、箸袋６の取り付け位置が互いに重ならないため、箸７を収納した箸袋６の重なりによる嵩張りを防止することができる。
【図面の簡単な説明】
【００２１】
【図１】本発明の実施形態からなる箸保管ファイルを分解した状態にして示す斜視図である。
【図２】本発明に使用される箸袋を箸と共に示す斜視図である。
【図３】本発明に使用される箸袋の一例を示し、（Ａ）は平面図、（Ｂ）は（Ａ）におけるＸ−Ｘ矢視断面図、（Ｃ）は背面図である。
【図４】本発明に使用される箸袋の他の実施形態を示し、（Ａ）は平面図、（Ｂ）は（Ａ）におけるＹ−Ｙ矢視断面図である。
【図５】図４の箸袋に箸を収納したときの縦断面図である。
【図６】本発明に使用される台紙の一例を示し、（Ａ）は平面図、（Ｂ）は背面図である。
【符号の説明】
【００２２】
１    外装カバー
１ａ  表表紙
１ｂ  裏表紙
２    雌型止金                                                                  ３    雄型止金
４    押え金
５    台紙
６    箸袋
６ａ  折り返し蓋
７    箸
８    メモ欄
９、１０、１１  両面接着テープ
【図１】
2007209613.tif 000003
【図２】
2007209613.tif 000004
【図３】
2007209613.tif 000005
【図４】
2007209613.tif 000006
【図５】
2007209613.tif 000007
【図６】
2007209613.tif 000008